(57)【特許請求の範囲】
【請求項１】
地面又は床面に埋設される下枠と、
前記下枠の両側のそれぞれに配置される縦枠と、
前記縦枠の間に張設され、上端部に横方向に延びる筒状部が形成されるシートと、
前記筒状部の内側に挿通され、両側の前記縦枠に接続される可撓性を有する芯材と、
前記芯材の少なくとも一側の端部に配置され、可撓性を有する線状部材と、を備え、
前記シートの左右両側の端部のそれぞれには係合孔が形成され、
前記線状部材は、一側が前記芯材に連結され、他側が前記係合孔のうちの一方に連結され、前記シートが前記縦枠に張設されない状態で前記芯材の延在方向に略沿った方向に配置される防水装置。
【請求項２】
前記縦枠の内側には係合軸が配置され、
前記シートの前記係合孔のそれぞれが前記係合軸に係合される請求項１に記載の防水装置。
【請求項３】
両側の前記縦枠の間に配置される１又は複数の中柱を更に備え、
前記中柱は、前記縦枠の前記芯材が接続される高さに対応する位置に配置され、前記芯材を係合可能な芯材係合部を有し、
前記筒状部には、前記中柱の位置に対応して前記芯材を外側に露出させる切欠部が形成される請求項１又は２に記載の防水装置。
【発明の詳細な説明】
【技術分野】
【０００１】
本発明は、シートを張設して水の侵入を防止する防水装置に関する。
【背景技術】
【０００２】
従来、上端部を筒状に構成し、筒状部の内側にワイヤ等の芯材を通したシートを張設する防水装置が知られている。この種の防水装置を開示するものとして例えば特許文献１がある。特許文献１には、チェーンの両端部を中央部シートの縁部から突出させ、その一方側にターンバックルが連結される構成について記載されている。
【先行技術文献】
【特許文献】
【０００３】
【特許文献１】特開２００１−１８２４５２号公報
【発明の概要】
【発明が解決しようとする課題】
【０００４】
ワイヤやチェーン等のような可撓性を有する芯材は、パイプ等の棒材を用いる場合に比べて持ち上げ易く、シートの上端部を撓ませることができるので作業性も高い。しかしながら、シートの張設作業において、芯材の一側の端部を建物側に連結したときに、他側の端部がシートの筒状部の内側に引き込まれてしまうことがあった。ワイヤの端部が引き込まれないようにワイヤの長さを長く設定することも考えられるが、ワイヤを長くしてしまえば張設時にシートが撓んだ状態になる。筒状部の内側にいったん引き込まれた芯材の端部を外側に引き出す作業は手間の掛かるものであり、防水シートを設置完了するまでの時間が長くなってしまう。防水装置を設置する建物の開口部の幅が広い場合はシートの横方向も長くなり、他側の端部が入り込みやすくなってしまう。
【０００５】
本発明は、シートを設置する際に可撓性を有する芯材が筒状部の内側に入り込んでいたとしても、速やかに芯材を引き出して縦枠に固定でき、設置作業を速やかに完了できる防水装置を提供することを目的とする。
【課題を解決するための手段】
【０００６】
本発明は、地面又は床面に埋設される下枠（例えば、後述の収納枠１１）と、前記下枠の両側のそれぞれに配置される縦枠（例えば、後述の縦枠１２）と、前記縦枠の間に張設され、上端部に横方向に延びる筒状部（例えば、後述の筒状部７０）が形成されるシート（例えば、後述のシート２０）と、前記筒状部の内側に挿通され、両側の前記縦枠に接続される可撓性を有する芯材（例えば、後述のワイヤ２５）と、前記芯材の少なくとも一側の端部に配置され、可撓性を有する線状部材（例えば、後述のロープ８０）と、を備える防水装置（例えば、後述の防水装置１０）に関する。
【０００７】
前記縦枠の内側には係合軸（例えば、後述の係合軸８５）が配置され、前記シートの左右両側の端部には前記係合軸に係合する係合孔（例えば、後述のハトメ部７１）が形成され、前記線状部材における前記芯材に接続される側と反対側の端部が前記係合孔に接続されることが好ましい。
【０００８】
前記防水装置は、両側の前記縦枠の間に配置される１又は複数の中柱（例えば、後述の中柱１４）を更に備え、前記中柱は、前記縦枠の前記芯材が接続される高さに対応する位置に配置され、前記芯材を係合可能な芯材係合部（例えば、後述のワイヤ係合部１６）を有し、前記筒状部には、前記中柱の位置に対応して前記芯材を外側に露出させる切欠部（例えば、後述の切欠部８８）が形成されることが好ましい。
【発明の効果】
【０００９】
本発明の防水装置によれば、シートを設置する際に可撓性を有する芯材が筒状部の内側に入り込んでいたとしても、速やかに芯材を引き出して縦枠に固定でき、設置作業を速やかに完了できる。
【図面の簡単な説明】
【００１０】
【図１】本発明の一実施形態に係る防水装置の使用状態を示す内観図である。
【図２】本実施形態の防水装置の収納時を示す側面図である。
【図３】本実施形態のシートの上端部の筒状部断面を示す拡大図である。
【図４】本実施形態のシートの上端部の両側を示す図である。
【図５】本実施形態の縦枠のシートの上端部を係止する構造を示す図である。
【図６】本実施形態のシートの片側を縦枠に取り付ける様子を模式的に示す図である。
【図７】本実施形態のターンバックルと接続される側とは反対側のリング部をフックに取り付ける様子を示す図６の拡大図である。
【図８】本実施形態の中柱のワイヤ係合部を建物外部側から見た様子を示す拡大図である。
【図９】本実施形態のターンバックルが内蔵される縦枠を示す図６の拡大図である。
【図１０】本実施形態のターンバックルに連結される側のワイヤのリング部が筒状部の内側に入り込んだ様子を示す図である。
【発明を実施するための形態】
【００１１】
以下、本発明の好ましい一実施形態として、地下駐車場の出入口等、建物の外部から内部への通路となる開口部にシートを横設可能な防水装置を説明する。
【００１２】
図１は、本発明の一実施形態に係る防水装置１０の使用状態を示す内観図である。この図１では、建物１の内部側から見た防水装置１０の使用状態が示されている。以下の説明において、単に左右方向といった場合は、建物１の内部側から見た防水装置１０の左右方向のことを示すものとする。
【００１３】
図１に示すように、防水装置１０は、左右両側にそれぞれ配置される縦枠１２と、地面ＦＬに埋設される収納枠１１と、左右の縦枠１２と収納枠１１に囲まれる空間に横設されるシート２０と、左右の縦枠１２の間でシート２０を保持する複数の中柱１４と、中柱１４の下端部を差込可能に構成される複数の支持枠１５と、を備える。
【００１４】
図１に示すように、左右の縦枠１２は、その内側にシート２０の左右両側の端部をそれぞれ把持する側部把持部４０を備える。側部把持部４０は、シート２０の左右方向の端部を金物によって押圧保持する機構であり、ヒンジ部（図示省略）によって把持位置と解除位置の間を回動可能に構成される。
【００１５】
図２は、本実施形態の防水装置１０の収納時を示す側面図である。以下の説明において、水平方向における建物１の外部２側を建物外部側とし、建物１の内部３側を建物内部側として説明する。
【００１６】
本実施形態の防水装置１０は、使用時にはシート２０を張設して建物外部側から建物内部側への水の浸入をシート２０によって防ぎ（図１に示す状態）、通常時はシート２０及び中柱１４を収納枠１１に収納可能に構成される（図２に示す状態）。
【００１７】
図２に示すように、本実施形態の縦枠１２は、シート２０の収納時に、側部把持部４０等のシート２０を把持する構造を外部から覆う扉９２を備えている。
【００１８】
収納枠１１は、その内側にシート２０の下端部を把持する下側把持部６０を備える。下側把持部６０は、シート２０の下端部を金物によって押圧保持する機構であり、ヒンジ部（図示省略）によって把持位置と解除位置の間を回動可能に構成される。
【００１９】
収納時は、シート２０が折り畳んで収納枠１１に収容されるとともに、中柱１４が支持枠１５から引き抜かれて収納枠１１に収容される。本実施形態では、収納枠１１の内側に収容されるシート２０及び中柱１４を覆う保護シート９０が収納枠１１の内部に設けられている。保護シート９０を覆い被せた状態でチェッカープレート５を置き、収納枠１１を外部から閉鎖する。また、中柱１４を抜き取った支持枠１５にもチェッカープレート６を置く。なお、シート２０の収納時においても下側把持部６０によるシート２０の把持状態は維持される。
【００２０】
中柱１４は、その下端部が支持枠１５に挿入されることで立設し、シート２０の上端部を所定の高さで保持するためのものである。中柱１４が収納枠１１や縦枠１２に対して建物内部側に位置するように支持枠１５の位置が設定されている。使用後、中柱１４は、横に向けた状態で折り畳まれたシート２０の上に置かれる。
【００２１】
シート２０は、基布に両面樹脂コーティングを施した可撓性のある面材で構成される。シート２０の上端部には、可撓性を有する芯材としてワイヤ２５を通すための筒状部７０が形成される。防水装置１０には、水の侵入を防ぐことができる基準として水位ＷＬが設定されており、シート２０の筒状部７０は、その張設時に水位ＷＬよりも上方の位置に設定している。
【００２２】
図３は、本実施形態のシート２０の筒状部７０断面の形状を示す図である。図３に示すように、シート２０は、その上側を折り返して縫製又は溶着加工７９されることによって筒状部７０を形成している。この筒状部７０の内側の空間にワイヤ２５（図３において図示省略）が挿通される。
【００２３】
図４は、本実施形態のシート２０の上端部の両側を示す拡大図である。図４に示すように、本実施形態のシート２０の上端部の左右両側には、ハトメ部７１が設けられる。また、シート２０におけるハトメ部７１と筒状部７０の間には切欠部７２が形成される。
【００２４】
ワイヤ２５の両端には、リング部７５がそれぞれ設けられている。ワイヤ２５は、その長さが両端のリング部７５が筒状部７０の外側にはみ出す長さに設定される。本実施形態のリング部７５は、その内側に金属製のシンブル７６を配置して構成される。
【００２５】
ワイヤ２５の一側の端部に設けられるリング部７５は、ターンバックル２６を介して右側の縦枠１２に連結される。また、ターンバックル２６に連結される側と反対側のリング部７５は、直接的に左側の縦枠１２に連結される。以下の説明において、ターンバックル２６に接続される側のリング部７５をターンバックル２６側のリング部７５とし、ターンバックル２６に接続される側と反対側のリング部７５を反対側のリング部７５として説明する。
【００２６】
本実施形態のワイヤ２５には、ターンバックル２６側のリング部７５が筒状部７０の内側に入り込んでしまったときに、該リング部７５を筒状部７０の外側に引き出すためのロープ８０が取り付けられる。なお、ロープ８０の径は、ワイヤ２５の径と同等かそれ以下のものが好ましい。
【００２７】
ロープ８０は、その両端に輪８１が形成されており、左側の輪８１がターンバックル２６に接続される側のリング部７５（シンブル７６）に連結されるとともに、他側の輪８１が右側のハトメ部７１に連結される。ロープ８０は、筒状部７０の内側から引き出されるように、リング部７５に接続される側と反対側の端部が筒状部７０の端部から離れるように配置される。ロープ８０は、左右両側のリング部７５が筒状部７０の外側に出ている適正位置にあるときは撓んだ状態になるようにその長さが余裕をもって設定されている。なお、ロープの長さは、反対側のリング部７５をフック８６に引っ掛けたときにターンバックル２６側のリング部７５が筒状部７０に引き込まれる量に基づいて設定したり、ワイヤ２５、筒状部７０及びシート２０の横方向の長さに設定したりする等、事情に応じて適宜変更することができる。
【００２８】
図５は、本実施形態の縦枠１２のシート２０の上端部を係止する構造を示す図である。図５では、扉９２が開いた状態の縦枠１２の内側上部の様子が示されている。
【００２９】
図５に示すように、縦枠１２の建物内部側の面には、ハトメ部７１を係合するための係合軸８５が配置される。係合軸８５は、建物内部側から建物外部側に向かって水平に突出している。また、係合軸８５の近傍には、リング部７５又はターンバックル２６を連結するフック８６が配置されている。なお、左右両側の縦枠１２の内側の構造は同様の構造となっており、右側の縦枠１２にはターンバックル２６がフック８６に係合された状態で内蔵されている。
【００３０】
シート２０の設置方法の手順について説明する。作業者は収納枠１１のチェッカープレート５を外して中柱１４を取り出す。支持枠１５のチェッカープレート６を外して中柱１４を支持枠１５に嵌め込む。このときワイヤ係合部１６が建物外部側に位置するように、中柱１４を配置する。また、シート２０を収納枠１１から引き出す。このとき、シート２０の下端部は収納枠１１の下側把持部６０に把持された状態が維持されている。次に、シート２０の左右方向の端部の縦枠１２への固定に移行する。
【００３１】
シート２０の縦枠１２への固定では、ターンバックル２６と接続される側とは反対側の端部から先に固定作業を行う方がよい。図６は、本実施形態のシート２０の片側を縦枠１２に取り付ける様子を模式的に示す図である。図７は、本実施形態のターンバックル２６と接続される側とは反対側のリング部７５をフック８６に取り付ける様子を示す図６の拡大図である。
【００３２】
図６及び図７に示すように、シート２０のハトメ部７１に係合軸８５を挿通し、ハトメ部７１と係合軸８５を係合する。次に、ワイヤ２５のリング部７５を斜め上方に持ち上げてフック８６に係合させる。ハトメ部７１と係合軸８５の係合及びワイヤ２５の一側のリング部７５とフック８６の係合が終わると側部把持部４０によってシート２０におけるハトメ部７１の下方を把持する。
【００３３】
次に、支持枠１５に支持されて立設している各中柱１４にワイヤ２５を係合する。図６に示すように、シート２０の筒状部７０にはワイヤ２５を外部に露出させる切欠部８８が中柱１４の立設位置に応じて複数形成されている。中柱１４には、この切欠部８８から露出するワイヤ２５を係合するワイヤ係合部１６が設けられる。
【００３４】
図８は、本実施形態の中柱１４のワイヤ係合部１６を建物外部側から見た様子を示す拡大図である。図８に示すように、中柱１４の建物外部側の面にはワイヤ係合部１６が設けられる。本実施形態のワイヤ係合部１６は、シート２０が横設された状態のワイヤ２５の高さよりもやや高い位置に設定される。
【００３５】
図５に示すように、ワイヤ係合部１６は、ワイヤ２５の脱落を防止するように建物外部側に延びた後、上方に屈曲するように形成されている。また、ワイヤ係合部１６におけるワイヤ２５に接触する部分が水平方向で見たときに係合軸８５及びフック８６の一部と重なっている。本実施形態では、中柱１４が複数配置されており、ワイヤ係合部１６は中柱１４に対して同じ高さで固定される。
【００３６】
次に、ターンバックル２６が内蔵される側の縦枠１２へのシート２０の固定作業を行う。図９は、本実施形態のターンバックル２６が内蔵される縦枠１２を示す図６の拡大図である。図９に示すように、ターンバックル２６は、一側の端部がフック８６に係合されるかたちで縦枠１２に内蔵されている。
【００３７】
図４や図５に示すように、本実施形態のターンバックル２６は、フック８６に係合されるフック側係合部２７がリング状に形成される一方、ワイヤ２５に係合されるワイヤ側係合部２８がフック状に構成される。
【００３８】
縦枠１２への固定作業では、まず、シート２０の右側のハトメ部７１を縦枠１２の係合軸８５に係合させる。次に、縦枠１２に内蔵されるターンバックル２６を取り出してワイヤ側係合部２８にワイヤ２５のリング部７５を係合する。
【００３９】
図１０は、ターンバックル２６に連結される側のワイヤ２５のリング部７５が筒状部７０の内側に入り込んだ様子を示す図である。図１０に示すように、ワイヤ２５におけるターンバックル２６側と反対側をシート２０に固定するときに、リング部７５が上方に引き出され、その分、ターンバックル２６側のリング部７５が筒状部７０の内側に引き込まれる。また、中柱１４のワイヤ係合部１６へのワイヤ２５を引っ掛けるときにも、ワイヤ２５がやや上方で保持された状態となってワイヤ２５が筒状部７０の内側に引き込まれることがある。
【００４０】
このように、リング部７５が筒状部７０の内側に張り込んでいるときは、ロープ８０を外側（白抜きの矢印方向）に引っ張ることでリング部７５を筒状部７０の外側に引き出すことができる（図４参照）。外側に引き出したリング部７５をターンバックル２６のワイヤ側係合部２８に連結し、ターンバックル２６の長手方向のサイズを調節してワイヤ２５に適切な張力を付与する。縦枠１２の側部把持部４０によってシート２０の端部を把持させることにより、シート２０は、収納枠１１及び左右の縦枠１２の間で横設される。
【００４１】
以上説明した実施形態の防水装置１０によれば、以下のような効果を奏する。
本実施形態の防水装置１０は、地面ＦＬに埋設される収納枠１１と、収納枠１１の両側のそれぞれに配置される縦枠１２と、縦枠１２の間に張設され、上端部に横方向に延びる筒状部７０が形成されるシート２０と、筒状部７０の内側に挿通され、両側の縦枠１２に接続されるワイヤ２５と、ワイヤ２５のターンバックル２６側のリング部７５に接続される（配置される）ロープ８０と、を備える。
【００４２】
これにより、シート２０の一側を縦枠１２に連結したときに、ワイヤ２５の他側の端部が筒状部７０の内側に入り込んでしまった場合でも、作業者がロープ８０を引っ張ることによってワイヤ２５の他側の端部を筒状部７０の外側に引き出すことができる。また、ワイヤ２５が引き込まれてもロープ８０で引き出すことができるので、筒状部７０の幅を大きくすることができる。シート２０の製造時において、リング部７５を有するようなワイヤ２５であっても、後工程で筒状部７０に通すことができ、製造コストの観点からも有利である。また、ワイヤ２５が引き込まれてもロープ８０で引き出すことができるので、筒状部７０の横方向の幅の長さを大きく確保することができ、耐水圧という観点からも有利である。更に、ワイヤ２５の筒状部７０の内側での挿通方向での移動を許容できるので、シート２０の張設時や収納時にワイヤ２５によってシート２０が撓みにくくなる事態も防止でき、シート２０を容易に取り扱うことができる。
【００４３】
縦枠１２の内側には係合軸８５が配置され、シート２０の左右両側の端部には係合軸８５に係合するハトメ部７１が形成され、ロープ８０におけるワイヤ２５に接続される側と反対側の輪８１がハトメ部７１に接続される。
【００４４】
これにより、ロープ８０が筒状部７０の内側に張り込んでしまう事態を確実に防止できる。また、ハトメ部７１に連結されているので、ロープ８０の姿勢もシート２０の長手方向に沿ったものとなり、手掛かりよく、速やかにロープ８０をもってワイヤ２５を引き出すことができる。また、ロープ８０側をターンバックル２６側に接続する間違えを防止することもできる。大雨や洪水等の緊急時に使用される場合であっても、シート２０の誤接続を防止して速やかにシート２０を張設できる構成が実現できる。
【００４５】
防水装置１０は、両側の縦枠１２の間に配置される複数の中柱１４を更に備え、中柱１４は、縦枠１２のワイヤ２５が接続される高さに対応する位置に配置され、ワイヤ２５を係合可能なワイヤ係合部１６を有し、筒状部７０には、中柱１４の位置に対応してワイヤ２５を外側に露出させる切欠部８８が形成される。
【００４６】
これにより、中柱１４によってシート２０の位置を適切に保持しつつ、中柱１４に係合させることによって筒状部７０の内側にワイヤ２５のリング部７５が引きこまれたとしてもロープ８０によってワイヤ２５を筒状部７０の外側に引き出すことができる。特に本実施形態のように、複数の中柱１４を用いる必要がある幅が広いシート２０を用いる場合はワイヤ２５の他側の端部（リング部７５）が筒状部７０の内側に入り込みやすいため、ロープ８０の役割は大きい。また、ワイヤ係合部１６の位置が縦枠１２のワイヤ２５が接続される高さに対応しているので、ワイヤ係合部１６にワイヤ２５を係合させながらワイヤ２５のテンションを調整する作業も容易に行うことができる。
【００４７】
本実施形態の手順によれば、ターンバックル２６の反対側からシート２０を縦枠１２に固定している。ターンバックル２６側から先に取り付けた場合、シート２０の反対側を縦枠１２に固定した後に再びターンバックル２６側に戻って張力を付与する必要があるため、速やかにターンバックル２６による張力の付与を行うという観点ではターンバックル２６の反対側からシート２０を縦枠１２に固定する手順で作業を行うことが好ましい。また、ロープ８０が、後に固定する側、即ちターンバックル２６側のリング部７５に配置することにより、一側のシート２０の縦枠１２への固定作業によって筒状部７０の内側に入り込んだワイヤ２５のリング部７５を筒状部７０の外側に容易に引き出すことができる。
【００４８】
以上、本発明の好ましい実施形態について説明したが、本発明は、上述の実施形態に制限されるものではなく、適宜変更が可能である。
【００４９】
上記実施形態では、ロープ８０におけるリング部７５に接続される側と反対側の輪８１がハトメ部７１に接続される構成であるが、この構成に限定されない。例えば、ロープ８０におけるリング部７５に接続される側と反対側の端部をハトメ部７１に接続せずに、自由な状態とすることもできる。この構成においても、筒状部７０の内側に入り込んだワイヤ２５のリング部７５をロープ８０によって引き出すことができる。このように、ロープ８０の取り回しや配置方法は適宜変更することができる。
【００５０】
上記実施形態では、可撓性を有する線状部材としてロープ８０が用いられているが、繊維で構成される紐に限定されるわけではなく、ワイヤ等、その他の材料で構成されるものを用いることができる。また、ロープ８０をワイヤ２５やターンバックル２６に固定するための部分も輪８１ではなく、フック部材や別部材とすることもできる。
【００５１】
上記実施形態では、ターンバックル２６に接続される側のリング部７５にロープ８０が接続される構成であるが、ターンバックル２６に接続される側と反対側のリング部７５にロープ８０を接続する構成としてもよいし、左右両方のリング部７５にロープ８０を接続する構成としてもよい。また、右側の縦枠１２に内蔵されるターンバックル２６を省略して直接的にリング部７５をフック８６に連結させる構成としてもよい。
【００５２】
上記実施形態では、縦枠１２が建物１に埋め込まれる埋め込み型のものを例として説明したが、縦枠１２の設置方法は、事情に応じて適宜変更できる。例えば、建物１に固定される支持プレートを介して固定される露出型の縦枠を用いることもできる。また、上記実施形態では、複数の中柱１４を備える防水装置１０を例に説明したが、中柱が１本の防水装置や中柱を有していない防水装置にも本発明を適用することができる。
【符号の説明】
【００５３】
１０  防水装置
１１  収納枠（下枠）
１２  縦枠
１４  中柱
１６  ワイヤ係合部（芯材係合部）
２０  シート
２５  ワイヤ（可撓性を有する芯材）
７１  ハトメ部（係合孔）
８０  ロープ（可撓性を有する線状部材）
８５  係合軸
【図１】
0006734121.tif 000002
【図２】
0006734121.tif 000003
【図３】
0006734121.tif 000004
【図４】
0006734121.tif 000005
【図５】
0006734121.tif 000006
【図６】
0006734121.tif 000007
【図７】
0006734121.tif 000008
【図８】
0006734121.tif 000009
【図９】
0006734121.tif 000010
【図１０】
0006734121.tif 000011